(57)【特許請求の範囲】
【請求項１】
通電すると発熱するヒータ(3)を有するヒーターカセット(11)と、このヒーターカセット(11)を脱着自在に装着されると共に、ヒータ(3)を加熱する電源を内蔵してしている本体(1)とを備える体毛処理具であって、下記の全ての構成を有する体毛処理具。
（ａ）  ヒーターカセット(11)が、その両端部に両端ツマミ(11A)を有し、この両端ツマミ(11A)は本体(1)に設けられた一対の櫛(6)の間から両端部に表出されている。
（ｂ）  ヒーターカセット(11)は、本体(1)に連結するための連結開口(11B)を有する。
（ｃ）  連結開口(11B)は、ヒータ(3)の中央部分に位置すると共に、下方に開口されている。
（ｄ）  連結開口(11B)の対向する内面に、ヒータ(3)の両端に接続されている一対のヒータ端子(10)を配設している。
（ｅ）  本体(1)は、ヒーターカセット(11)の連結開口(11B)に挿入される形状に成形されてなる挿入ロッド(9)を有する。
（ｆ）  挿入ロッド(9)は、絶縁材で成形されている。
（ｇ）  挿入ロッド(9)の両面には、連結開口(11B)の対向面に配設されているヒータ端子(10)に電気接続される接続端子(8)を配設している。
（ｈ）  ヒーターカセット(11)は、両端ツマミ(11A)を掴んで、本体(1)の櫛(6)の間に、ヒータ(3)に対して直交する方向に脱着自在に装着されている。
（ｉ）  ヒーターカセット(11)は、ヒーターカセット(11)の連結開口(11B)に、本体(1)の挿入ロッド(9)を挿入して本体(1)に装着され、この状態で、ヒーターカセット(11)が本体(1)に機械的に連結されると共に、電気的にも連結されるように構成されてなる。
【請求項２】
弾性金属板である接続端子(8)、その先端部に、一対の接続端子(8)間の間隔を次第に広くする係止テーパー部(8A)と、この係止テーパー部(8A)よりも先端に連結されており、一対の接続端子(8)の間隔を次第に狭くする挿入テーパー部(8B)とを有し、係止テーパー部(8A)と挿入テーパー部(8B)の境界は、挿入ロッド(9)の表面から弾性的に突出しており、
ヒーターカセット(11)の連結開口(11B)に挿入ロッド(9)が挿入されると、次第に間隔の広くなる係止テーパー部(8)がヒータ端子(10)の内面に弾性的に押圧されるように構成されてなる請求項１に記載される体毛処理具。
【請求項３】
挿入ロッド(9)がプラスチックの成形品で、接続端子(8)は弾性金属板で、挿入ロッド(9)が接続端子(8)介して、本体(1)に内蔵されるプリント基板(7)に固定されてなる請求項１に記載される体毛処理具。
【請求項４】
挿入ロッド(9)が、接続端子(8)先端を案内する溝(9D)を先端部に有し、接続端子(8)の先端が溝(9D)に入れられて接続端子(8)が挿入ロッド(9)の定位置に連結される請求項３に記載される体毛処理具。
【発明の詳細な説明】
【０００１】
【発明の属する技術分野】
本発明は、体表面のむだ毛をヒータで焼き切る体毛処理具に関する。
【０００２】
【従来の技術】
ヒータで体表面のむだ毛を焼き切る体毛処理具は開発されている。体毛処理具は、ニクロム線であるヒータに通電して加熱する。加熱されたヒータは、接触する毛を焼き切る。ヒータは、直接に皮膚に接触すると危ないので、その両側に櫛が配設される。この構造の体毛処理具は、櫛を通過して内部に案内される毛を、ヒータで焼き切る。
【０００３】
この構造の体毛処理具は、ヒータに付着する異物を綺麗に除去できる構造とする必要がある。このことを実現するために、ヒータの両側に配設される櫛を脱着できる構造とする体毛処理具が開発されている（特開平８−２８９８１４号公報）。この構造の体毛処理具は、ヒータに付着する異物を除去できるが、ヒータが切れたときに簡単に交換できない欠点がある。この欠点は、ヒータをヒーターカセットに内蔵させて、このヒーターカセットを脱着できるように本体に装着して解消できる。この構造の体毛処理具は、ヒーターカセットを外して、ヒータに付着する異物を除去でき、さらに、ヒーターカセットを交換して、切れたヒータを新しいものに簡単に交換できる。
【０００４】
ヒーターカセットを脱着自在に本体に装着する体毛処理具は、実公平４−３７５２１号公報と、実用新案登録第３００６１２５号公報に記載される。これ等の公報に記載される体毛処理具は、図１と図２に示すように、長手方向に引き出して脱着できるヒーターカセット１１を内蔵している。ヒーターカセット１１は、挿入した状態で、ヒータ３に通電するために、ヒータ端子１０を先端から突出させている。
【０００５】
【発明が解決しようとする課題】
以上のように、ヒーターカセット１１を長手方向に脱着する体毛処理具は、ヒーターカセット１１を本体１の定位置に配設するための機構を必要とする。図３に示すように、ヒーターカセット１１は、両側に凸条１２を設け、この凸条１２を本体１に設けた溝に入れて、ヒーターカセット１１を定位置に配設している。この構造のヒーターカセットは、ヒータで焼き切られた毛屑等が凸条と溝の間に侵入して、スムーズに脱着できなくなることがある。とくに、毛を焼き切って切断する体毛処理具は、焦げた毛屑が凸条と溝の間に侵入して、スムーズに摺動させるのが難しくなる欠点がある。さらに、ヒーターカセットの凸条を摺動させる溝は、対向して設けられる櫛の内側でその奥部に配設されるので、溝を綺麗に掃除するのが難しく、ここに溜った毛屑が、ヒーターカセットの脱着を難しくする。
【０００６】
とくに、この構造の体毛処理具は、スムーズに摺動できないヒーターカセットが、極めて引き抜き難くなる欠点がある。それは、ヒーターカセットの先端に設けた、小さいツマミを摘んで本体から引き抜くからである。この摘みは、外観デザインから、大きくするのは難しい。大きすぎると、外観デザインが悪くなるからである。小さいツマミは、強く掴んでヒーターカセットを強引に引き抜くことができず、スムーズに摺動できないヒーターカセットの脱着を難しくする。さらに、困ったことに、脱着できなくなったヒーターカセットは、凸条と溝の間に次第に毛屑が堆積してさらに脱着が難しくなってしまう欠点がある。
【０００７】
本発明は、さらにこの欠点を解決することを目的に開発されたものである。本発明の重要な目的は、ヒーターカセットを簡単かつ容易に、しかもスムーズに脱着できると共に、極めて簡単な構造でヒーターカセットを確実に本体に脱着自在に連結できる体毛処理具を提供することにある。
【０００８】
【課題を解決するための手段】
本発明の請求項１の体毛処理具は、通電すると発熱するヒータ３を有するヒーターカセット１１と、このヒーターカセット１１を脱着自在に装着してなる本体１とを備える。本体１は、ヒータ３を加熱する電源を内蔵している。さらに、本発明の体毛処理具は、下記の独特の構成を備える。
（ａ）  ヒーターカセット１１は、その両端を掴んで、ヒータ３に対して直交する方向に脱着できるように、両端部に両端ツマミ１１Ａを有する。両端ツマミ１１Ａは、本体１に設けられた一対の櫛６の間から両端部に表出して、掴むことができるようになっている。
（ｂ）  ヒーターカセット１１は、本体１に脱着自在に連結するための連結開口１１Ｂを有する。
（ｃ）  連結開口１１Ｂは、ヒータ３の中央部分に位置すると共に、下方に開口されている。
（ｄ）  連結開口１１Ｂの対向する内面に、ヒータ３の両端に接続されている一対のヒータ端子１０を配設している。
（ｅ）  本体１は、ヒーターカセット１１の連結開口１１Ｂに挿入される形状に成形されてなる挿入ロッド９を有する。
（ｆ）  挿入ロッド９は、対向面に接続端子８を絶縁して配設できるように、絶縁材で成形されている。
（ｇ）  挿入ロッド９の両側には、連結開口１１Ｂの対向面に配設されているヒータ端子１０に電気接続される接続端子８を配設している。
（ｈ）  ヒーターカセット１１は、両端ツマミ１１Ａを掴んで、本体１の櫛６の間に、ヒータ３に対して直交する方向に脱着自在に装着されている。
（ｉ）  ヒーターカセット１１は、ヒーターカセット１１の連結開口１１Ｂに、本体１の挿入ロッド９を挿入して本体１に装着され、この状態で、ヒーターカセット１１が本体１に機械的に連結されると共に、電気的にも連結されるように構成されている。
【０００９】
本発明の請求項２の体毛処理具は、接続端子８を弾性金属板で製作している。この接続端子８は、その先端部に、一対の接続端子８間の間隔を次第に広くする係止テーパー部８Ａと、この係止テーパー部８Ａよりも先端に連結されており、一対の接続端子８の間隔を次第に狭くする挿入テーパー部８Ｂとを有する。係止テーパー部８Ａと挿入テーパー部８Ｂの境界は、挿入ロッド９の表面から弾性的に突出している。
ヒーターカセット１１の連結開口１１Ｂに挿入ロッド９が挿入されると、次第に間隔の広くなる係止テーパー部８Ａがヒータ端子１０の内面に弾性的に押圧される。この構造の体毛処理具は、ヒーターカセット１１のヒータ端子１０が、抜け難い方向に傾斜する係止テーパー部８Ａで係止される。
【００１０】
本発明の請求項３の体毛処理具は、挿入ロッド９をプラスチックの成形品とし、接続端子８を弾性金属板とし、挿入ロッド９を、接続端子８を介して、本体１に内蔵されるプリント基板７に固定している。
【００１１】
本発明の請求項４の体毛処理具は、挿入ロッド９の先端部に、接続端子８の先端を案内する溝９Ｄを設けている。接続端子８の先端を溝９Ｄに入れて、接続端子８を挿入ロッド９の定位置に連結している。
【００１２】
【発明の実施の形態】
以下、本発明の実施例を図面に基づいて説明する。ただし、以下に示す実施例は、本発明の技術思想を具体化するための体毛処理具を例示するものであって、本発明は体毛処理具を下記のものに特定しない。
【００１３】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１４】
図４ないし図７に示す体毛処理具は、本体１の先端にヒーターカセット１１を装着している。本体１は、ケースの内部に、ヒータ３を加熱する電池４と、ヒータ３の加熱時間を制限するタイマーとを内蔵している。さらに、本体１は、ヒータ３の通電を制御するスイッチ５を設け、このスイッチ５のツマミをケースの外部に表出させている。
【００１５】
ヒーターカセット１１は、プラスチック製のヒータケース２に、ヒータ３とヒータ端子１０を内蔵している。ヒータケース２は、図８の分解斜視図に示すように、プラスチックで二つに分割した形状に成形され。ヒーターカセット１１は、図において左側のヒータケース２に、ヒータ３を接続するヒータ端子１０を内蔵させた後、右側のヒータケース２を連結して組み立てられる。
【００１６】
ヒーターカセット１１は、その両端を掴んで、図４と図５の矢印で示すように、ヒータ３に対して直交する方向に脱着できるように、両端部に両端ツマミ１１Ａを有する。両端ツマミ１１Ａは、ヒーターカセット１１を本体１に装着する状態で、一対の櫛６の間から外部に表出している。図に示すヒーターカセット１１は、脱着するときの滑りを防止するために、両端ツマミ１１Ａの表面に４列の凸条１１Ｃを成形している。
【００１７】
さらに、ヒーターカセット１１は、図４と図５の矢印で示す方向に脱着して本体１に連結するために、ヒータ３の中央部分に位置して、下方に開口する連結開口１１Ｂを開口している。連結開口１１Ｂの対向する内面には、図８と図９に示すように、ヒータ３の両端に接続される一対のヒータ端子１０を配設している。
【００１８】
ヒータ端子１０は、その上端に、細いニクロム線のヒータ３を連結している。ヒータ３は、その両端をヒータ端子１０に巻き付けて連結している。ヒータ端子１０は、先端にヒータ３を連結し、それ自体はヒータケース２の定位置に装着さる。図に示すヒータ端子１０は、ヒータ３に通電する接続用の端子と、ヒータ３のたるみを防止する引っ張り部材の両方に兼用される。したがって、ヒータ端子１０は、弾性変形できる板バネやバネ線等のバネ材で製作される。図に示すヒータ端子１０は、板バネであるが、バネ線を使用することもできる。
【００１９】
ヒータ端子１０は、ヒータケース２に一体成形された角柱２Ａの表面に沿う形状に折曲された下端の後端ループ部１０Ａと、この後端ループ部１０Ａに連結される中間延長部１０Ｂと、この中間延長部１０Ｂの先端に連結されてヒータ３を連結するヒータ連結部１０Ｃとからなっている。ヒータ端子１０は、後端ループ部１０Ａを、ヒータケース２に設けた角柱２Ａの外側に嵌入して、連結開口１１Ｂの対向する内面に配設される。図に示すヒーターカセット１１は、ヒータケース２に一体成形された角柱２Ａと、ヒータケース２の側面とで、本体１に連結するための連結開口１１Ｂを形成している。ヒータ端子１０の中間延長部１０Ｂは、ヒータケース２に一体成形された支持柱２Ｂの間に挿入されて、ヒータ端子１０をヒータケース２の定位置に装着している。
【００２０】
さらに、ヒータケース２は、ヒータ端子１０の中間延長部１０Ｂとヒータ連結部１０Ｃのコーナー部を、ヒータケース２に一体成形された隔壁２Ｃの外側に嵌入して、定位置に装着している。隔壁２Ｃは、その両端を上方に突出させて、突出部２Ｄの外側にヒータ連結部１０Ｃを配設している。突出部２Ｄの外側面は、ヒータ端子１０を両側に押し広げて、ヒータ３を引っ張り状態でヒータケース２に装着する。
【００２１】
隔壁２Ｃの両側に設けられた突出部２Ｄの外側面は、図１０の断面図に示すように、傾斜面２Ｅとなっている。それは、ヒータ３を連結しているヒータ端子１０を、図の矢印で示すように、ヒータケース２に装着するときに、ヒータ３を引っ張り状態とするためである。傾斜面２Ｅは、ここに装着されるヒータ端子１０を、ヒータ３の引っ張り方向に付勢するように、いいかえると、ふたつのヒータ連結部１０Ｃの先端間隔を広くする傾斜面２Ｅとなっている。傾斜面２Ｅに沿って、ヒータ端子１０のヒータ連結部１０Ｃが挿入されると、ヒータ３が引っ張られて、ヒータケース２に装着される。傾斜面２Ｅに装着されるヒータ端子１０のヒータ連結部１０Ｃは、一部が傾斜面２Ｅから離れて隙間ができる。この隙間は、図１０の断面図に示すように、片方のヒータケース２の内面に、くさび凸起２Ｆを一体成形して閉塞できる。くさび凸起２Ｆは、傾斜面２Ｅとヒータ連結部１０Ｃとの隙間に圧入される形状に成形される。
【００２２】
図に示すヒータケース２は下記のようにして組み立てられる。
▲１▼  ヒータ端子１０をヒータケース２に装着しない状態で、ヒータ連結部１０Ｃにヒータ３の両端を巻き付けて連結する。ヒータ３は、あらかじめ、ヒータ端子１０をヒータケース２に装着すると、たるまない長さでヒータ端子１０に連結される。
【００２３】
▲２▼  ヒータ３を連結したヒータ端子１０を、一方のヒータケース２に装着する。ヒータ端子１０は、後端ループ部１０Ａをヒータケース２に一体成形された角柱２Ａの外側に、中間延長部１０Ｂを支持柱２Ｂの間に、ヒータ連結部１０Ｃを隔壁２Ｃ両側の傾斜面２Ｅの外側に入れて、ヒータケース２の定位置に装着される。この状態で、ヒータ端子１０は、ヒータ３を直線状に引っ張る状態で、ヒータケース２の定位置に装着される。
【００２４】
▲３▼  ヒータ端子１０を装着しているヒータケース２に、他のヒータケース２を連結して、ヒータケース２の開口部を閉塞する。
【００２５】
本体１はプラスチック製のケースで、先端に突出して一対の櫛６を設けている。櫛６は、ヒータ３の両側に位置して配設されている。櫛６の間には、ヒーターカセット１１を脱着自在に装着する嵌着部を設けている。本体１は、図７のケースを開いた正面図に示すように、上半分の部分にプリント基板７を内蔵している。
【００２６】
プリント基板７は、ヒーターカセット１１を連結する挿入ロッド９を上端から突出するように固定し、この挿入ロッド９の両側に接続端子８を配設している。挿入ロッド９は、接続端子８を介してプリント基板７に固定される。さらに、プリント基板７は、ヒータ３の通電時間を制限するタイマーと、ヒータ３に通電するためのスイッチ５も装着している。
【００２７】
接続端子８は弾性変形する金属板で、プリント基板７に半田付けして固定され、プラスチック製の挿入ロッド９をプリント基板７に固定している。接続端子８は、図１１の斜視図に示すように、プリント基板７に固定される固定板８Ｃと、ヒータ端子１０に連結されるアーム８Ｄとからなり、全体の形状をＬ字状としている。固定板８Ｃは上下にリード凸起８Ｅを設け、リード凸起８Ｅをプリント基板７に挿通して、半田付して固定している。
【００２８】
接続端子８のアーム８Ｄは、図１１と図１２に示すように、先端部を外側に突出する山形に折曲する形状としている。この形状の接続端子８のアーム８Ｄは、一対の接続端子８間の間隔を次第に広くする係止テーパー部８Ａと、この係止テーパー部８Ａよりも先端に連結されており、一対の接続端子８の間隔を次第に狭くする挿入テーパー部８Ｂとからなる。係止テーパー部８Ａと挿入テーパー部８Ｂの境界は、挿入ロッド９の表面から弾性的に突出している。
【００２９】
この構造の接続端子８は、ヒーターカセット１１の連結開口１１Ｂに挿入ロッド９を挿入するとき、次第に間隔の広くなる係止テーパー部８Ａをヒータ３の内面に弾性的に押圧して、ヒーターカセット１１を抜けないように連結できる。
【００３０】
挿入ロッド９は、接続端子８を介してプリント基板７に連結される形状に、プラスチックで成形されている。挿入ロッド９は、Ｌ字状の接続端子８のコーナーに位置するコーナー柱部９Ａと、一対の接続端子８の間に位置するロッド部９Ｂとを備える。互いに離して配設されるコーナー柱部９Ａは、底板９Ｃで連結され、この底板９Ｃにロッド部９Ｂも連結されて、全体がプラスチックで一体成形されている。コーナー柱部９Ａの内側と、ロッド部９Ｂの外側に、Ｌ字状の接続端子８を入れて、挿入ロッド９に接続端子８が連結される。
【００３１】
さらに、ロッド部９Ｂは、接続端子８の先端を入れる溝９Ｄを先端に設けている。溝９Ｄは、底にスリット９Ｅを開口している。接続端子８は、このロッド部９Ｂの溝９Ｄに入れるために、先端の挿入テーパー部８Ｂの幅を溝９Ｄの幅よりも狭くし、さらに、先端縁には、両側に突出する凸起８Ｆを設けている。挿入テーパー部８Ｂが溝９Ｄに入れられ、先端の凸起８Ｆがスリット９Ｅに入れられて、接続端子８は挿入ロッド９に分離しない状態で連結される。この構造の挿入ロッド９は、接続端子８をプリント基板７に固定し、確実に位置ずれしないように連結される。
【００３２】
ヒーターカセット１１が、本体１に装着されると、ヒーターカセット１１のヒータ端子１０は、本体のケースに内蔵されるプリント基板７に固定される接続端子８に電気接続される。さらに、接続端子８は、ヒーターカセット１１のヒータ端子１０の間に挿入されて、ヒーターカセット１１を本体１に機械的に連結する。とくに、図に示す接続端子８は、弾性変形する弾性金属板で製作して、これをヒータ端子１０の内面に弾性的に押圧して、ヒーターカセット１１を抜けないように連結する。
【００３３】
さらに、図に示すヒーターカセット１１は、本体１に装着した状態で、節度出しをするために、ヒータケース２の下端部の両側に、弾性凸起２Ｉを突出させている。この弾性凸起２Ｉは、本体１ケースに設けられた引掛凹部１Ａに入れられて、ヒーターカセット１１を節度のある状態で定位置に連結する。
【００３４】
【発明の効果】
本発明の体毛処理具は、ヒーターカセットを簡単かつ容易に、しかもスムーズに本体に脱着できる特長がある。さらに、極めて簡単な構造で、ヒーターカセットを確実に本体に脱着自在に連結できる特長もある。それは、本発明の体毛処理具が、ヒーターカセットに内蔵するヒータに通電するためのヒータ端子と、本体に設けた接続端子と、ヒーターカセットを本体に機械的に連結すると共に、ヒーターカセットの両端に両端ツマミを設け、両端ツマミでヒーターカセットの両端を掴んで、ヒーターカセットを、ヒータに対して直交する方向に脱着できるからである。
【図面の簡単な説明】
【図１】従来の体毛処理具の正面図
【図２】図１に示す体毛処理具の拡大断面図
【図３】図１に示す体毛処理具のヒーターカセットの斜視図
【図４】本発明の実施例の体毛処理具の正面図
【図５】図４に示す体毛処理具の側面図
【図６】図４に示す体毛処理具の平面図
【図７】図４に示す体毛処理具のケースを開いた状態を示す正面図
【図８】図４に示す体毛処理具のヒーターカセットを開いた状態を示す分解斜視図
【図９】図８に示すヒーターカセットに挿入ロッドを挿入する状態を示す平面図
【図１０】図９に示すヒーターカセットのＡ−Ａ線断面図
【図１１】接続端子と挿入ロッドをプリント基板に連結する状態を示す分解斜視図
【図１２】挿入ロッドの先端部と接続端子の連結部分を示す拡大斜視図
【符号の説明】
１…本体                １Ａ…引掛凹部
２…ヒータケース        ２Ａ…角柱              ２Ｂ…支持柱
２Ｃ…隔壁              ２Ｄ…突出部
２Ｅ…傾斜面            ２Ｆ…くさび凸起
２Ｉ…弾性凸起
３…ヒータ
４…電池
５…スイッチ
６…櫛
７…プリント基板
８…接続端子            ８Ａ…係止テーパー部    ８Ｂ…挿入テーパー部
８Ｃ…固定板            ８Ｄ…アーム
８Ｅ…リード凸起        ８Ｆ…凸起
９…挿入ロッド          ９Ａ…コーナー柱部      ９Ｂ…ロッド部
９Ｃ…底板              ９Ｄ…溝
９Ｅ…スリット
１０…ヒータ端子        １０Ａ…後端ループ部    １０Ｂ…中間延長部
１０Ｃ…ヒータ連結部
１１…ヒーターカセット    １１Ａ…両端ツマミ      １１Ｂ…連結開口
１１Ｃ…凸条
１２…凸条
【図１】
0003691199.tif 000002
【図２】
0003691199.tif 000003
【図３】
0003691199.tif 000004
【図４】
0003691199.tif 000005
【図５】
0003691199.tif 000006
【図６】
0003691199.tif 000007
【図７】
0003691199.tif 000008
【図８】
0003691199.tif 000009
【図９】
0003691199.tif 000010
【図１０】
0003691199.tif 000011
【図１１】
0003691199.tif 000012
【図１２】
0003691199.tif 000013